(57)【要約】【課題】通紙、非通紙部で異なる転写器の帯電状況によって生じる残留電位の差を解消し、印刷用紙幅を変えた際に画像濃度に差が出ることを防止する。【解決手段】無端形状の光導電性感光体１に対して、帯電器２で帯電し、露光器で露光し、現像機４で現像し、転写器５で転写して各種の幅の印刷用紙上に画像を形成する電子写真式印刷装置において、前記転写器５と帯電器２の間に、前記帯電器２による帯電とは逆極性に前記感光体１を帯電させる逆帯電器７を設けたことを特徴とする。【選択図】  図１
2010139815.tif 000002
【特許請求の範囲】
【請求項１】
無端形状の光導電性感光体に対して、帯電器で帯電し、露光器で露光し、現像機で現像し、転写器で転写して各種の幅の印刷用紙上に転写する電子写真式印刷装置において、前記転写器と帯電器の間に、前記帯電器による帯電とは逆極性に前記感光体を帯電させる逆帯電器を設けたたことを特徴とする電子写真式印刷装置。
【請求項２】
請求項１に記載の電子写真式印刷装置において、前記逆帯電器はコロトロン方式の帯電器であることを特徴とする電子写真式印刷装置。
【発明の詳細な説明】
【技術分野】
【０００１】
本発明は、無端形状の光導電性感光体を使用する電子写真式印刷装置に関するものである。
【背景技術】
【０００２】
従来の電子写真式印刷装置を図４および図５により説明する。図４は電子写真式印刷装置の概略構成図、図５はその電子写真式印刷装置の帯電工程、露光工程、現像工程、転写工程を経て再び帯電工程に戻るまでの１サイクルにおける電位プロフィールを示す図である。
【０００３】
従来の電子写真式印刷装置では、光導電性を有する感光体１を帯電器２により一定電圧まで帯電させた後、レーザ３等により感光体１は露光される。露光された感光体１の表面は光減衰により電位が低下し、潜像を形成する。また、感光体１の回転方向に沿い、露光位置より前進した先には、バイアス電位を印加したマグネットロール４ａを有する現像機４が配置されている。ここで、現像機４内部において生ずる摩擦により、トナーは帯電する。帯電したトナーはマグネットロール４ａによって感光体１表面に運ばれる。この際、露光により表面電位が下がった部分と、バイアス電位を印加されたマグネットロール４ａ間で発生する電界の働きにより、露光部分にのみトナーが付着し、潜像上に可視画像を形成する。次に可視画像は転写器５によって、トナーと逆極性に帯電された印刷用紙６に写し取られる。この際、感光体１は印刷用紙６と同様に、転写器５により帯電器１とは逆極性に帯電される。
【０００４】
前記した可視画像を形成するための１サイクルでは露光により、感光体１を光減衰させ表面電位を下げると説明したが、電位を０Ｖまで下げることはできず、わずかに電位が残ってしまう。この残った電位を、残留電位と呼ぶ。これは、感光層中の不純物準位に光キャリアがトラップされ、露光により消去することができないためである。このようにして、感光層中にトラップされた光キャリアは、残留電位となり次の１サイクルにて、露光部の電位を増加させる原因となる。
【０００５】
前記した１サイクルにおける残留電位の値は、帯電や露光の回数及び時間によっても変化し、回数及び時間が長くなるほど、その値が高くなる現象、一般的に疲労と呼ばれる現象が起きるようになる。このため印刷量の増加に伴って、残留電位とバイアス電位の関係が変化し、印刷濃度が変動してしまうという不具合があった。
【０００６】
また、更に今日における電子写真式印刷装置では、一般的に異なる幅の用紙を印刷することが多く、前記した残留電位の問題は、次に述べる不具合を発生させる場合がある。図２は転写器５の構成を示す図である。前述した転写器５による感光体１への帯電状況は、印刷用紙が通過する部分（通紙部６ａ）と印刷用紙の通過しない部分（非通紙部６ｂ）で差が出る。従って、印刷量の増加に伴い通紙部６ａと非通紙部６ｂで、残留電位の差が拡大する。このため、用紙幅を広げた際、前に使用していた用紙幅端部を境目にして印刷濃度差を生じてしまう。
【０００７】
このような残留電位の変化による印刷濃度変動の改善案として、特許文献１がある。これは、残留電位の変動に合わせて、帯電電位、バイアス電位等を変化させることにより、印刷濃度を一定にするという方法である。
【０００８】
【特許文献１】特開平５−２８９４５８号公報
【発明の開示】
【発明が解決しようとする課題】
【０００９】
上記のような方法では、単一用紙幅の残留電位上昇については対応できるが、前記した印刷用紙幅変更時に生じる印刷濃度差には対応することができない。即ち、前述した通紙部６ａ、非通紙部６ｂに生ずる残留電位の差に対応できず、印刷用紙幅を変えた際、画像濃度に差が出てしまう。
【００１０】
本発明の目的は、通紙、非通紙部で異なる転写器の帯電状況によって生ずる残留電位の差を解消し、印刷用紙幅を変えた際に画像濃度に差が出ることを防止する電子写真印刷装置を提供することにある。
【課題を解決するための手段】
【００１１】
上記目的を達成するために、本発明の第１の手段は、無端形状の光導電性感光体に対して、帯電器で帯電し、露光器で露光し、現像機で現像し、転写器で転写して各種の幅の印刷用紙上に転写する電子写真式印刷装置において、前記転写器と帯電器の間に、前記帯電器による帯電とは逆極性に前記感光体を帯電させる逆帯電器を設けたたことを特徴とするものである。
【００１２】
本発明の第２の手段は前記第１の手段において、前記逆帯電器はコロトロン方式の帯電器であることを特徴とするものである。
【発明の効果】
【００１３】
本発明の第１の手段（請求項１）においては、転写器と帯電器の間に、光導電性感光体を帯電工程とは逆極性に帯電する逆帯電器を設けることで、感光層中にトラップされた光キャリアを消去し、印刷量増加に伴う残留電位の上昇を抑制し、印刷濃度の変動を防止することができる。このため、多様な幅の印刷用紙を使用する場合においても印刷濃度差の発生を防止することができる。
【００１４】
本発明の第２の手段（請求項２）においては、逆帯電器がコロトロン方式の帯電器であるので、感光層深くにトラップされた光キャリアまで電場が浸透し光キャリアを除去するので、効率良く残留電位上昇を抑制できる。
【発明を実施するための最良の形態】
【００１５】
本発明の実施形態を図１、３、５、６により説明する。図１は本発明の一実施形態に基く電子写真式印刷装置の概略構成図、図３はその電子写真式印刷装置の１サイクルにおける電位プロフィールを示す図である。また、図５は従来の電子写真式印刷装置の１サイクルにおける電位プロフィールを示す図、図６は本発明の電子写真式印刷装置と従来の電子写真式印刷装置での印刷量増加に伴う残留電位の上昇を比較した図である。
【００１６】
本発明の電子写真式印刷装置と従来の電子写真式印刷装置で残留電位上昇の比較実験を行った。従来技術における感光体使用初期の電位プロフィールは図５に示すように、転写器５通過後の表面電位は、通紙部６ａで約０Ｖ、非通紙部６ｂで−９５Ｖであった。このときの残留電位は図６に示す通り、印刷量が増えるに従って増加し、また通紙部６ａと非通紙部６ｂで差が拡大した。
【００１７】
これに対して本発明では、図１に示すように転写器５と帯電器２の間に、コロトロン方式の逆帯電器７を実装し、電流量＋０．６ｍＡで帯電させた。この際、逆帯電器７通過後の表面電位は、図３の通り、通紙部６ａは約＋２３０Ｖ、非通紙部６ｂは約＋１４０Ｖとなった。このとき、残留電位は図６に示すように、印刷量によらず粗一定であり、通紙部６ａと非通紙部６ｂとの間で差は見られなかった。
【００１８】
一方、一般的に知られる帯電方式には、コロトロン方式の他に帯電ローラ方式がある。そこで、逆帯電器７を帯電ローラ方式に変更し、同様の評価を行った。評価の結果、帯電ローラ方式では、コロトロン方式より残留電位上昇の抑制効果は少ないことが分かった。これは、帯電ローラ方式の場合、感光体１との電荷の受け渡しが、表面でのみ行われるため、感光層深くにトラップされた光キャリアには、影響を及ぼし難いためと考える。このことから、逆帯電を行う帯電方式としては、コロトロン方式が優れていることが分かった。
【００１９】
以上、本発明の構成によれば、逆帯電器７によって、感光体１を逆極性に帯電することで、感光層中にトラップされた光キャリアを消去し、通紙部６ａ、非通紙部６ｂ共に残留電位の上昇を抑制し、印刷幅変更時に印刷濃度差の発生を防ぐことができる。
【図面の簡単な説明】
【００２０】
【図１】本発明の実施形態に係る電子写真印刷装置の概略構成図である。
【図２】転写器の構成を示す斜視図である。
【図３】本発明の実施形態に係る電子写真印刷装置の電位プロフィールを示す図である。
【図４】従来の電子写真印刷装置の概略構成図である。
【図５】従来の電子写真印刷装置の電位プロフィールを示す図である。
【図６】本発明の実施形態に基く電子写真印刷装置と従来の電子写真印刷装置の残留電位を示す図である。
【符号の説明】
【００２１】
１は感光体、２は帯電器、３はレーザ光、４は現像機、５は転写器，６ａは通紙部、６ｂは非通紙部、７は逆帯電器である。
【図１】
2010139815.tif 000003
【図２】
2010139815.tif 000004
【図３】
2010139815.tif 000005
【図４】
2010139815.tif 000006
【図５】
2010139815.tif 000007
【図６】
2010139815.tif 000008